(57)【要約】【課題】検知信号にノイズが乗っていると判断した場合に、ノイズを検知してノイズ以外のシグナルで色合わせ補正の演算を行うことで、色合わせ補正を正確に行う画像形成装置および画像形成方法を提供する。【解決手段】各色の色合わせパターンｎ個を１セットとして、転写ベルト上に複数セット作像し、１セット目のｎ個のパターンをセンサで読み取りを開始し、信号を制御装置に送り、決められた電圧Ａ［Ｖ］で色合わせ補正に使用するシグナルを検知する。検知したシグナルの個数がｎ＋１個以上と判断した場合、読み取り電圧を基準電圧よりＢ［Ｖ］下る。その後、読み取り電圧（Ａ−Ｂ［Ｖ］）でのシグナルの個数を検知し、シグナルの個数がｎ個ではない場合は、再びＢ［Ｖ］読み取り電圧を下げ、シグナルの個数を検知する。シグナルの個数がｎ個になったら、色合わせ補正計算を実行する。【選択図】図４
2008233266.tif 000002
【特許請求の範囲】
【請求項１】
複数色のトナー画像をベルト状の転写ベルトに重ね合わせて転写用カラー画像を形成する画像形成装置であって、
前記転写用カラー画像を転写媒体に転写する転写手段と、
前記転写ベルト上に各色の色合わせ補正用パターンを形成する補正用パターン形成手段と、
前記補正パターン形成手段が形成する補正パターンを検出する検出手段と、
前記検出手段で検知信号を受けて色合わせ補正の演算を実行する制御手段とを有し、
前記制御手段は、前記検知信号にノイズが乗っていると判断した場合に、ノイズを検知してノイズ以外のシグナルで色合わせ補正の演算を行うことを特徴とする画像形成装置。
【請求項２】
前記制御手段は、検知信号に乗っているノイズをシグナルと区別する手段として、ある基準電圧における信号の数を検知し、基準電圧における信号数が前記補正パターン数より多い場合には、基準電圧を下げて信号の数がパターンの数と同じになった電圧で色合わせ補正演算を行うことを特徴とする請求項１に記載の画像形成装置。
【請求項３】
前記制御手段は、検知信号に乗っているノイズをシグナルと区別する手段として、ある基準電圧における信号の数を検知し、基準電圧における信号数が前記補正パターン数より少ない場合には、基準電圧を上げて信号の数がパターンの数と同じになった電圧で色合わせ補正演算を行うことを特徴とする請求項１に記載の画像形成装置。
【請求項４】
前記制御手段は、前記基準電圧を下げたことで前記信号数が前記補正パターン数よりも少なくなった場合には少しずつ電圧を上げていき、前記信号数が前記補正パターン数と同じになった電圧で色合わせ補正演算を行うことを特徴とする請求項２に記載の画像形成装置。
【請求項５】
複数色のトナー画像をベルト状の転写ベルトに重ね合わせて転写用カラー画像を形成する画像形成方法であって、
前記転写用カラー画像を転写媒体に転写する転写工程と、
前記転写ベルト上に各色の色合わせ補正用パターンを形成する補正用パターン形成工程と、
前記補正パターン形成工程で形成する補正パターンを検出する検出工程と、
前記検出工程で検知信号を受けて色合わせ補正の演算を実行する制御工程とを有し、
前記制御工程は、前記検知信号にノイズが乗っていると判断した場合に、ノイズを検知してノイズ以外のシグナルで色合わせ補正の演算を行うことを特徴とする画像形成方法。
【請求項６】
前記制御工程は、検知信号に乗っているノイズをシグナルと区別する手段として、ある基準電圧における信号の数を検知し、基準電圧における信号数が前記補正パターン数より多い場合には、基準電圧を下げて信号の数がパターンの数と同じになった電圧で色合わせ補正演算を行うことを特徴とする請求項５に記載の画像形成方法。
【請求項７】
前記制御工程は、検知信号に乗っているノイズをシグナルと区別する手段として、ある基準電圧における信号の数を検知し、基準電圧における信号数が前記補正パターン数より少ない場合には、基準電圧を上げて信号の数がパターンの数と同じになった電圧で色合わせ補正演算を行うことを特徴とする請求項５に記載の画像形成方法。
【請求項８】
前記制御工程は、前記基準電圧を下げたことで前記信号数が前記補正パターン数よりも少なくなった場合には少しずつ電圧を上げていき、前記信号数が前記補正パターン数と同じになった電圧で色合わせ補正演算を行うことを特徴とする請求項６に記載の画像形成方法。
【発明の詳細な説明】
【技術分野】
【０００１】
本発明は、色合わせ補正を制御する画像形成装置および画像制御方法に関する。
【背景技術】
【０００２】
近年、学校、オフィス等において、処理されるドキュメントは急速にカラー化が進み、これらのドキュメントを扱う複写機、プリンタ、ファクシミリ等の画像形成装置も急速にカラー化が進んでいる。
【０００３】
現在、これらのカラー機器は、オフィス等における事務処理の高品位化および迅速化に伴い、高画質化および高速化される傾向にある。かかる要求に応え得るカラー機器としては、例えば、黒（Ｋ）・イエロー（Ｙ）・マゼンタ（Ｍ）・サイアン（Ｃ）の各色毎に各々の画像形成ユニットを持ち、各画像形成ユニットで形成された異なる色の画像を搬送される転写材または中間転写体上に多重転写し、カラー画像の形成を行なうカラー画像形成装置が種々提案されている。
【０００４】
一方で、多重転写する際、各色による画像が重ならずにずれる位置ずれを起こす可能性が生じる。この位置ずれを防止するため、位置ずれ検知用のトナーマーク列を形成、検知するものがある。
【０００５】
特許文献１は、カラー画像形成に用いられる各色の画像形成ユニットから転写された画像を移動させる無複数個配置された電子写真プロセス部によって位置ずれ検知用マークを形成し、位置ずれ検知用マークを画像検知手段により検知した検知結果に基づいて位置ずれ補正を行う。この位置ずれ補正における調整法は、位置ずれ量の大きさに応じて用いられるように制御し、位置ずれ量が大きくても位置ずれ検知用マークを確実に検知し、位置ずれが大きいと思われる場合の調整時間を短縮できる画像形成装置が提案されている。
【特許文献１】特開２００５−０３１２６３号公報
【発明の開示】
【発明が解決しようとする課題】
【０００６】
しかし、従来の技術では、転写ベルト上に傷がある場合に色合わせ補正を失敗するという問題点が残っている。
【０００７】
そこで本発明は、転写用カラー画像を転写媒体に転写し、転写ベルト上に各色の色合わせ補正用パターンを形成し、形成した補正パターンを検出し、検知信号にノイズが乗っていると判断した場合に、ノイズを検知してノイズ以外のシグナルで色合わせ補正の演算を行う画像形成装置および画像形成方法を提供することを目的とする。
【課題を解決するための手段】
【０００８】
上記の目的を達成するため、請求項１に記載の発明は、複数色のトナー画像をベルト状の転写ベルトに重ね合わせて転写用カラー画像を形成する画像形成装置であって、前記転写用カラー画像を転写媒体に転写する転写手段と、前記転写ベルト上に各色の色合わせ補正用パターンを形成する補正用パターン形成手段と、前記補正パターン形成手段が形成する補正パターンを検出する検出手段と、前記検出手段で検知信号を受けて色合わせ補正の演算を実行する制御手段とを有し、前記制御手段は、前記検知信号にノイズが乗っていると判断した場合に、ノイズを検知してノイズ以外のシグナルで色合わせ補正の演算を行う画像形成装置であることを特徴とする。
【０００９】
請求項２に記載の発明は、請求項１に記載の画像形成装置において、前記制御手段は、検知信号に乗っているノイズをシグナルと区別する手段として、ある基準電圧における信号の数を検知し、基準電圧における信号数が前記補正パターン数より多い場合には、基準電圧を下げて信号の数がパターンの数と同じになった電圧で色合わせ補正演算を行うことを特徴とする。
【００１０】
請求項３に記載の発明は、請求項１に記載の画像形成装置において、前記制御手段は、検知信号に乗っているノイズをシグナルと区別する手段として、ある基準電圧における信号の数を検知し、基準電圧における信号数が前記補正パターン数より少ない場合には、基準電圧を上げて信号の数がパターンの数と同じになった電圧で色合わせ補正演算を行うことを特徴とする。
【００１１】
請求項４に記載の発明は、請求項２に記載の画像形成装置において、前記制御手段は、前記基準電圧を下げたことで前記信号数が前記補正パターン数よりも少なくなった場合には少しずつ電圧を上げていき、前記信号数が前記補正パターン数と同じになった電圧で色合わせ補正演算を行うことを特徴とする。
【００１２】
請求項５に記載の発明は、複数色のトナー画像をベルト状の転写ベルトに重ね合わせて転写用カラー画像を形成する画像形成方法であって、前記転写用カラー画像を転写媒体に転写する転写工程と、前記転写ベルト上に各色の色合わせ補正用パターンを形成する補正用パターン形成工程と、前記補正パターン形成工程で形成する補正パターンを検出する検出工程と、前記検出工程で検知信号を受けて色合わせ補正の演算を実行する制御工程とを有し、前記制御工程は、前記検知信号にノイズが乗っていると判断した場合に、ノイズを検知してノイズ以外のシグナルで色合わせ補正の演算を行う画像形成方法であることを特徴とする。
【００１３】
請求項６に記載の発明は、請求項５に記載の画像形成方法において、前記制御工程は、検知信号に乗っているノイズをシグナルと区別する手段として、ある基準電圧における信号の数を検知し、基準電圧における信号数が前記補正パターン数より多い場合には、基準電圧を下げて信号の数がパターンの数と同じになった電圧で色合わせ補正演算を行うことを特徴とする。
【００１４】
請求項７に記載の発明は、請求項５に記載の画像形成方法において、前記制御工程は、検知信号に乗っているノイズをシグナルと区別する手段として、ある基準電圧における信号の数を検知し、基準電圧における信号数が前記補正パターン数より少ない場合には、基準電圧を上げて信号の数がパターンの数と同じになった電圧で色合わせ補正演算を行うことを特徴とする。
【００１５】
請求項８に記載の発明は、請求項６に記載の画像形成方法において、前記制御工程は、前記基準電圧を下げたことで前記信号数が前記補正パターン数よりも少なくなった場合には少しずつ電圧を上げていき、前記信号数が前記補正パターン数と同じになった電圧で色合わせ補正演算を行うことを特徴とする。
【発明の効果】
【００１６】
本発明によれば、検知信号にノイズが乗っていると判断した場合に、ノイズを検知してノイズ以外のシグナルで色合わせ補正の演算を行うことで、色合わせ補正を正確に行う画像形成装置および画像形成方法を提供することを可能とする。
【発明を実施するための最良の形態】
【００１７】
本発明を好適に実施するための実施の形態について説明する。
【００１８】
本実施形態の画像形成装置について図１、図２、図３を用いて説明する。図１は、本実施形態の画像形成装置の構成の概要を示す図である。図２は、本実施形態の画像形成装置を示す斜視図である。図３は、本実施形態の画像形成装置における補正パターン、転写ベルト地肌部分を示す図である。
【００１９】
図１に示すように、転写ベルトに沿って各色の画像形成装置が並べられた構成のものであり、タンデムタイプと呼ばれるものである。すなわち、転写ベルト５に沿って、この転写ベルト５進行方向の上流側から順に、複数の画像形成部６ＢＫ、６Ｍ、６Ｃ、６Ｙが配列されている。
【００２０】
これら複数の画像形成部６ＢＫ、６Ｍ、６Ｃ、６Ｙは形成するトナー画像の色が異なるだけで内部構成は共通である。
【００２１】
画像形成部６ＢＫはブラックの画像を、画像形成部６Ｍはマゼンタの画像を、画像形成部６Ｃはシアンの画像を、６Ｙはイエローの画像をそれぞれ形成する。よって、以下の説明では、画像形成部６ＢＫについて具体的に説明するが、他の画像形成部６Ｍ、６Ｃ、６Ｙは画像形成部６ＢＫと同様であるので、その画像形成部６Ｍ、６Ｃ、６Ｙの各構成要素については、Ｍ、Ｃ、Ｙによって区別した符号を図に表示するにとどめ、説明を省略する。
【００２２】
転写ベルト５は、回転駆動される駆動ローラ７と従動ローラ８と二巻回されたベルトである。この駆動ローラ７は、図示していない駆動モータにより回転駆動させられ、この駆動モータと、駆動ローラ７と、従動ローラ８とが転写ベルト５を移動させる駆動手段として機能する。
【００２３】
画像形成部６ＢＫは感光体としての感光体ドラム９ＢＫ、この感光体ドラム９ＢＫの周囲に配置された帯電器１０ＢＫ、露光器１１、現像器１２ＢＫ、感光体クリーナ（図示せず）、除電器１３ＢＫ等から構成されている。
【００２４】
露光器１１は各画像形成部６ＢＫ、６Ｍ、６Ｃ、６Ｙが形成する画像色に対応する露光光であるレーザ光１４ＢＫ、１４Ｍ、１４Ｃ、１４Ｙを照射するように構成されている。
【００２５】
画像形成の際に感光体ドラム９ＢＫの外周面は暗中にて帯電器１０ＢＫにより一様に帯電された後、露光器１１からブラックの画像に対応したレーザ光１４ＢＫにより露光され、静電潜像を形成される。
【００２６】
現像器１２ＢＫは、この静電潜像をブラックトナーにより可視像化し、このことにより感光体ドラム９ＢＫ上にブラックのトナー画像が形成される。このトナー画像は、感光体ドラム９と転写ベルトが接する位置で転写ベルトに転写される。
【００２７】
トナー画像の転写が終了した感光体ドラム９ＢＫは、外周面に残留した不要なトナーを感光体クリーナにより払拭された後、除電器１３ＢＫにより除電され、次の画像形成のために待機する。
【００２８】
転写ベルト５は、さらに次の画像をベルト上に形成するために、次の画像形成部６Ｍに移動する。画像形成部６Ｍでは、画像形成部６ＢＫでの画像形成プロセスと同様のプロセスにより感光体ドラム９Ｍ上のマゼンタのトナー画像が形成され、そのトナー画像が転写ベルト５上に形成されたブラックの画像に重畳されて転写される。
【００２９】
転写ベルト５は、さらに次の画像形成部６Ｃ、６Ｙに移動し、同様の動作により、感光体ドラム９Ｃ上に形成されたシアンのトナー画像と、感光体ドラム９Ｙ上に形成されたイエローのトナー画像とが、転写ベルト５上に重畳されて転写される。こうして、転写ベルト５上にフルカラーの画像が形成される。
【００３０】
給紙トレイ１から給紙ローラ２と分離ローラ３とにより分離給紙される用紙４に、転写ベルトと用紙４が接する部分で転写ベルト５上のフルカラーのトナー画像が用紙４に転写され、用紙４上にフルカラートナー画像が形成される。このフルカラーの重ね画像が形成された用紙４は、定着器１６にて画像を定着された後、画像形成装置の外部に排紙される。
【００３１】
以上のような構成のカラー画像形成装置では、感光体ドラム９ＢＫ、９Ｍ、９Ｃ、９Ｙの軸間距離の誤差、感光体ドラム９ＢＫ、９Ｍ、９Ｃ、９Ｙの平行度誤差、露光器１１内でレーザ光を偏向する偏向ミラー（図示せず）の設置誤差、感光体ドラム９ＢＫ、９Ｍ、９Ｃ、９Ｙへの静電潜像の書込みタイミング誤差等により、本来重ならなければ鳴らない位置に各色のトナーが重ならず、各色間で色ずれが生じるという問題が発生することがある。
【００３２】
そこで、各色のトナー画像の色合わせ補正をする必要がある。図２に示すように、画像形成部Ｙの下流側に、転写ベルト５に対向するセンサ１７、１８、１９が設けられている。センサ１７、１８、１９は転写ベルト５の進行方向と直行する主走査方向に沿うように同一の基板上に支持されている。
【００３３】
各センサは、発光素子と受光素子を備え、転写ベルト５上に形成された色合わせ補正パターン２４を検知する。発光素子より出射された光が転写ベルト５上に形成された補正パターンに照射されると、パターンに反射されて戻ってくる光が減衰し、受光素子から出力される電圧レベルが降下し、転写ベルト５上の補正パターン以外の地肌部に照射され、反射されて戻ってくる光は減衰されずに受光素子に入るので受光素子より出力される電圧レベルは降下しない。その様子を図３に示す。これらの受光素子より出力される信号が制御装置（ＡＳＩＣ）に入力され、制御装置内で色合わせ補正のための演算を行い、その結果を用いて色合わせ補正を実施する。
【００３４】
しかし、転写ベルト５上に傷などが存在すると、補正パターンと誤検知してしまい、色合わせ補正が正確に行えない。そこで、以下のような制御を行い、この問題を解決する。
【００３５】
色合わせ補正を行う際には、制御装置（ＡＳＩＣ）内で受光素子より出力された信号の有る基準電圧において色合わせ補正に用いるシグナル（色合わせ補正の演算に用いる信号をシグナルと呼ぶこととする）を検出している。しかし、信号に転写ベルト上の傷によるノイズが混ざっていた場合には、基準電圧でノイズを検知してしまうと、ノイズもシグナルとして検知してしまい色合わせ補正の演算が正確に行えない。
【００３６】
そこで、本実施形態の制御装置は、以下のような補正演算処理をする。以下に、本実施形態の制御装置の処理について図４を用いて説明する。図４は、本実施形態の制御装置の処理を示すフローチャートである。
【００３７】
各色の色合わせパターンｎ個を１セットとして、転写ベルト上に複数セット作像する（ステップＳ１０１）。作像された１セット目のｎ個のパターンをセンサで読み取りを開始する（ステップＳ１０２）。開始後、信号を制御装置に送り、決められた電圧Ａ［Ｖ］で色合わせ補正に使用するシグナルを検知する。
【００３８】
まず、基準電圧Ａ［Ｖ］で読み取った信号がｎ＋１以上であるか否かを判断する（ス
テップＳ１０３）。検知したシグナルの個数がｎ＋１個以上と判断した場合、つまりは、ノイズを検知している場合（ステップＳ１０３／ＹＥＳ）、読み取り電圧を基準電圧よりＢ［Ｖ］下る（ステップＳ１０８）。その後、その読み取り電圧（Ａ−Ｂ［Ｖ］）
でのシグナルの個数を検知し、シグナルの個数がｎ個であるか否かを判断する（ステップＳ１０９）。
【００３９】
ステップＳ１０９の処理で、シグナルの個数がｎ個ではない場合は（ステップＳ１０９／ＮＯ）、再びＢ［Ｖ］読み取り電圧を下げ、シグナルの個数を検知する。この過程
をシグナルの個数がｎ個になるまで繰り返し、ｎ個になったら（ステップＳ１０９／ＹＥＳ）、その時点での読み取り電圧で色合わせ補正計算を実行する（ステップＳ１０５）。
【００４０】
検知したシグナルの個数がｎ＋１個以上ではないと判断した場合（ステップＳ１０３／ＮＯ）、検知したシグナルの個数がｎ−１個以下であるか否かを判断する（ステップＳ１０４）。検知したシグナルの個数がｎ−１個以下であると判断した場合、つまりは、シグナルを規定数ｎ個検知していない場合（ステップＳ１０４／ＹＥＳ）、読み取り電圧を基準電圧よりＢ［Ｖ］上げる（ステップＳ１０６）。
【００４１】
ステップＳ１０６の処理で、読み取り電圧を基準電圧よりＢ［Ｖ］上げた、その読み
取り電圧（Ａ＋Ｂ［Ｖ］）でのシグナルの個数を検知し、シグナルの個数がｎ個である
か否かを判断する（ステップＳ１０７）。
【００４２】
ステップＳ１０７の処理で、シグナルの個数を検知し、シグナルの個数がｎ個ではないと判断した場合（ステップＳ１０７／ＮＯ）、再びＢ［Ｖ］読み取り電圧を上げ、シ
グナルの個数を検知する。この過程をシグナルの個数がｎ個になるまで繰り返し、ｎ個になったら、その時点での読み取り電圧で色合わせ補正計算を実行する。
【００４３】
また、ステップＳ１０３の処理で、決められた電圧Ａ［Ｖ］で色合わせ補正に使用す
るシグナルを検知し、検知したシグナルの個数がｎ＋１個未満であると判断され、検知したシグナルの個数がｎ−１個より大きい場合、すなわちｎ個の場合と判断された場合（ステップＳ１０４／ＮＯ）、決められた電圧Ａ［Ｖ］で色合わせ補正の計算を実行す
る。
【００４４】
（実施形態２）
実施形態１での画像処理装置の制御装置の補正演算処理に、実際の値を代入した例を次に、図５を用いて説明する。図５は、本実施形態の画像処理装置の制御装置の補正演算の概念図を示す。
ほとんどの場合ノイズがシグナルよりも信号強度が小さい。一例として、Ａ＝２．５［Ｖ］、Ｂ＝０．１［Ｖ］として実施形態１の制御を行うことで、ノイズとシグナルを
区別し色合わせ補正精度の向上を図る。図５に概念図を示す。縦軸に電圧、横軸に時間を示す。
【００４５】
（実施形態３）
次に、実施形態１、２でノイズとシグナルが区別できない場合の処理について図６を用いて説明する。図６は、本実施形態の画像処理装置の制御装置の演算処理フローチャートである。
【００４６】
まず、各色の色合わせパターンｎ個を１セットとして、転写ベルト上に複数セット作像する（ステップＳ２０１）。作像された１セット目のｎ個のパターンをセンサで読み取りを開始する（ステップＳ２０２）。
【００４７】
その後、信号を制御装置に送る。そして、決められた電圧Ａ［Ｖ］で色合わせ補正に
使用するシグナルを検知し、検知したシグナルの個数がｎ＋１個以上であるか否かを判断する（ステップＳ２０３）。
【００４８】
検知したシグナルの個数がｎ＋１個以上であると判断した場合、つまりは、ノイズを検知している場合（ステップＳ２０３／ＹＥＳ）、読み取り電圧を基準電圧よりＢ［Ｖ
］下げる（ステップＳ２０６）。その後、その読み取り電圧（Ａ−Ｂ［Ｖ］）でのシグ
ナルの個数を検知し、シグナルの個数がｎ個であるか否かを判断する（ステップＳ２０７）。
【００４９】
ステップＳ２０７の処理で、シグナルの個数がｎ個であると判断した場合は（ステップＳ２０７／ＹＥＳ）、その時点の読み取り電圧で色合わせ補正計算を実行する（ステップＳ２０５）。
【００５０】
シグナルの個数がｎ個ではないと判断した場合は（ステップＳ２０７／ＮＯ）、シグナルの個数がｎ−１個以下で有るかどうか判断する（ステップＳ２１１）。シグナルの個数がｎ−１以下であると判断した場合には（ステップＳ２１１／ＹＥＳ）、読み取り電圧をＢ／１６［Ｖ］上げ（ステップＳ２１２）。
【００５１】
その後、シグナルの個数がｎ−１個であるかどうか判別する。これを繰り返し、シグナルの個数がｎ−１より大きい、すなわちｎ個になったら（ステップＳ２１１／ＮＯ）、その時点の読み取り電圧で色合わせ補正計算を実行する（ステップＳ２０５）。
【００５２】
また、ステップＳ２０３の処理で、決められた電圧Ａ［Ｖ］で色合わせ補正に使用す
るシグナルを検知し、検知したシグナルの個数がｎ＋１個未満であると判断した場合（ステップＳ２０３／ＮＯ）、検知したシグナルの個数がｎ−１個以下であるか否かを判断する（ステップＳ２０４）。
【００５３】
ステップＳ２０４の処理で、検知したシグナルの個数がｎ−１個以下であると判断した場合、つまりは、シグナルを規定数ｎ個検知していない場合（ステップＳ２０４／ＹＥＳ）、読み取り電圧を基準電圧よりＢ［Ｖ］上げる（ステップＳ２０８）。その読み
取り電圧（Ａ＋Ｂ［Ｖ］）でのシグナルの個数を検知し、シグナルの個数がｎ個である
か否かを判断する（ステップＳ２０９）。
【００５４】
ステップＳ２０９の処理で、シグナルの個数がｎ個ではないと判断した場合は（ステップＳ２０９／ＮＯ）、読み取り電圧をＢ／１６［Ｖ］上げる（ステップＳ２１０）。
そして、ステップＳ２０９の処理と、ステップＳ２１０の処理とをシグナルの個数がｎ個になるまで繰り返す。シグナルの個数がｎ個になったら（ステップＳ２０９／ＹＥＳ）、その時点の読み取り電圧で色合わせ補正計算を実行する（ステップＳ２０５）。
【００５５】
また、ステップＳ２０３の処理で、決められた電圧Ａ［Ｖ］で色合わせ補正に使用す
るシグナルを検知し、検知したシグナルの個数がｎ＋１個未満であと判断され、かつ、ステップＳ２０４の処理で、検知したシグナルの個数がｎ−１個より大きい場合、すなわちｎ個であると判断された場合（ステップＳ２０４／ＮＯ）、決められた電圧Ａ［Ｖ
］で色合わせ補正の計算を実行する（ステップＳ２０５）。
【００５６】
本実施形態によれば、検知信号にノイズが乗っていると判断した場合に、ノイズを検知してノイズ以外のシグナルで色合わせ補正の演算を行うことで、色合わせ補正を正確に行うことを可能とする。
【図面の簡単な説明】
【００５７】
【図１】本実施形態の画像形成装置の構成の概要を示す図である。
【図２】本実施形態の画像形成装置を示す斜視図である。
【図３】本実施形態の画像形成装置における補正パターン、転写地肌部分を示す図である。
【図４】本実施形態の画像処理装置の制御装置の第２の演算処理フローチャートである。
【図５】本実施形態の画像処理装置の制御装置の補正演算の概念図を示す。
【図６】本実施形態の画像処理装置の制御装置の第２の演算処理フローチャートである。
【符号の説明】
【００５８】
１    給紙トレイ
２    給紙ローラ
３    分離ローラ
４    用紙
５    転写ベルト
６    画像形成部
７    駆動ローラ
８    従動ローラ
９    感光体ドラム
１０    帯電器
１１    露光器
１２    現像器
１３    除電器
１４    レーザ光
【図１】
2008233266.tif 000003
【図２】
2008233266.tif 000004
【図３】
2008233266.tif 000005
【図４】
2008233266.tif 000006
【図５】
2008233266.tif 000007
【図６】
2008233266.tif 000008